(57)【要約】【課題】電子カメラシステムで発生する個々のカメラの測光精度バラツキを解消し、常に最適な測光精度のもとに適正な露光レベルの撮影画像を画処理することなしに得る。【解決手段】被写界の輝度を検出する測光センサ１３０と、測光センサによって検出された被写界の輝度情報に基づいて被写界を撮像し、画像情報を出力する撮像部１０６と、少なくとも電子カメラに装着されたレンズの種類及び状態を検出する検出部１０１と、撮像部から出力される画像情報に基づいて算出された撮像画像の輝度値と、撮像部から出力される画像の理想的な輝度値とに基づいて、測光センサから得られる被写界輝度情報を補正するための測光レベル補正値を算出する補正値算出部１０１と、検出部による検出結果と補正値算出部により算出された測光レベル補正値とを関連付けて記憶する記憶部１０１ａとを具備する。【選択図】      図２
2005148639.tif 000002
【特許請求の範囲】
【請求項１】
被写界の撮影を行なう電子カメラにおいて、
被写界の輝度を検出する測光手段と、
該測光手段によって検出された被写界の輝度情報に基づいて被写界を撮像し、画像情報を出力する撮像手段と、
少なくとも前記電子カメラに装着されたレンズの種類及び状態を検出する検出手段と、
前記撮像手段から出力される画像情報に基づいて算出された撮像画像の輝度値と、前記撮像手段から出力される画像の第１の輝度値とに基づいて、前記測光手段から得られる被写界輝度情報を補正するための測光レベル補正値を算出する補正値算出手段と、
前記検出手段による検出結果と前記補正値算出手段により算出された測光レベル補正値とを関連付けて記憶する記憶手段と、
を具備することを特徴とする電子カメラ。
【請求項２】
前記レンズのピントを検出するための焦点検出板をさらに具備し、前記検出手段は、前記レンズの種類及び状態に加えて、前記焦点検出板の種類を検出することを特徴とする請求項１に記載の電子カメラ。
【請求項３】
前記電子カメラによる撮影の度に前記補正値算出手段により算出される測光レベル補正値と、過去に前記記憶手段に記憶された測光レベル補正値との比較結果に基づいて、前記記憶手段に記憶された測光レベル補正値を更新する更新手段をさらに具備することを特徴とする請求項１に記載の電子カメラ。
【請求項４】
前記撮像手段から出力される画像情報に基づいて算出される撮像画像の輝度値は、撮像画面内の所定の領域に重点をおいて算出される輝度値であることを特徴とする請求項１に記載の電子カメラ。
【請求項５】
前記撮像画面内の所定の領域とは、前記電子カメラのファインダー視野内の複数の焦点検出領域のうちの選択された焦点検出領域に対応した領域であることを特徴とする請求項４に記載の電子カメラ。
【請求項６】
前記撮像画面内の所定の領域とは、撮像画面内の人物が存在する領域に対応した領域であることを特徴とする請求項４に記載の電子カメラ。
【請求項７】
被写界の撮影を行なう電子カメラの制御方法であって、
被写界の輝度を検出する測光工程と、
該測光手工程において検出された被写界の輝度情報に基づいて被写界を撮像し、画像情報を出力する撮像工程と、
少なくとも前記電子カメラに装着されたレンズの種類及び状態を検出する検出工程と、
前記撮像工程において出力される画像情報に基づいて算出された撮像画像の輝度値と、前記撮像工程において出力される画像の第１の輝度値とに基づいて、前記測光工程において得られる被写界輝度情報を補正するための測光レベル補正値を算出する補正値算出工程と、
前記検出工程における検出結果と前記補正値算出工程において算出された測光レベル補正値とを関連付けて記憶する記憶工程と、
を具備することを特徴とする電子カメラの制御方法。
【請求項８】
前記電子カメラは、前記レンズのピントを検出するための焦点検出板を備え、前記検出工程では、前記レンズの種類及び状態に加えて、前記焦点検出板の種類を検出することを特徴とする請求項７に記載の電子カメラの制御方法。
【請求項９】
前記電子カメラによる撮影の度に前記補正値算出工程において算出される測光レベル補正値と、過去に記憶された測光レベル補正値との比較結果に基づいて、過去に記憶された測光レベル補正値を更新する更新工程をさらに具備することを特徴とする請求項７に記載の電子カメラの制御方法。
【請求項１０】
前記撮像工程において出力される画像情報に基づいて算出される撮像画像の輝度値は、撮像画面内の所定の領域に重点をおいて算出される輝度値であることを特徴とする請求項７に記載の電子カメラの制御方法。
【請求項１１】
前記撮像画面内の所定の領域とは、前記電子カメラのファインダー視野内の複数の焦点検出領域のうちの選択された焦点検出領域に対応した領域であることを特徴とする請求項１０に記載の電子カメラの制御方法。
【請求項１２】
前記撮像画面内の所定の領域とは、撮像画面内の人物が存在する領域に対応した領域であることを特徴とする請求項１０に記載の電子カメラの制御方法。
【請求項１３】
請求項７乃至１２のいずれか１項に記載の電子カメラの制御方法をコンピュータに実行させることを特徴とするプログラム。
【請求項１４】
請求項１３に記載のプログラムをコンピュータ読み取り可能に記憶したことを特徴とする記憶媒体。
【発明の詳細な説明】
【技術分野】
【０００１】
本発明は、被写界を撮像する電子カメラ及びその制御技術に関するものである。
【背景技術】
【０００２】
従来より、被写界輝度を検出し、得られた輝度情報から被写界を撮影するための最適な露出値を演算する測光装置がカメラに内蔵されている。
【０００３】
カメラが被写界輝度を正確に検出するためには、カメラに装着された各種レンズの光学的情報、つまり開放Ｆno.（Ｆ値）あるいは実効Ｆno.（Ｆ値）、射出瞳位置等の情報をカメラがレンズから入手し、そのレンズ情報に対応してカメラに予め用意されている測光補正値を用いて被写界輝度の検出を行っている。また、被写界の撮影で最適な露出を得るために、分割測光センサを用いて被写界を複数の領域に分割して各々の領域の輝度を検出し、被写界の撮影シーンに応じて最適な露出値を演算することも広く行われており、この場合、前記の測光補正値は前記測光センサの分割状態に応じて複数用意されることになる。
【０００４】
一方、撮影レンズの被写界に対する焦点調節状態をファインダを通して視認するための焦点検出板、いわゆるピント板が一眼レフカメラには装着されている。ピント板はその使用目的によって拡散性の異なるものが用意され、明るい被写界像を得るためには拡散性の低いピント板が、焦点調節状態を確認し易くするためには拡散性の高いピント板が用いられる。
【０００５】
前記の測光センサは、撮影レンズによって前記のピント板に結像された被写界像の輝度検出を行っているために、ピント板の結像面（マット面）の拡散特性によって測光センサに入射する光量は影響を受けることとなる。そのために、これら配光特性の異なったピント板がカメラに装着された場合、装着された各種ピント板の拡散特性に合わせて、カメラが自動的に、あるいは撮影者の操作によって、予めカメラに複数記憶、用意された前記の測光補正値のなかから最適なものが選択され、測光センサの出力を補正するカメラシステムが提案され、製品化されている。
【０００６】
また、電子カメラは撮影画像を電気信号としてメモリに保持できるため、撮影画像の露出レベルを演算し、画像処理して適正信号レベルに画像をつくることが可能である。
【０００７】
特開２０００−０６９３５６号公報（特許文献１）においては、上記撮影画像の露出レベルを演算し、撮影された画像信号のレベルを被写体輝度レベルに対する誤差として補正する提案がなされている。
【０００８】
さらに特開平１１−１９６２９２号公報においても、上記撮影画像の露出レベルを基準輝度、あるいは主要画像部輝度に対して適性な画像になるように画像信号を処理する提案もなされてはいるが、いずれの提案も撮影された画像の信号を処理して、適正露出レベルの画像を得ようとするもので、撮影時の画処理にかかる時間、またもとの撮影画像を処理することに伴う画質の劣化等の問題は存在していた。
【特許文献１】特開２０００−０６９３５６号公報
【特許文献２】特開平１１−１９６２９２号公報
【発明の開示】
【発明が解決しようとする課題】
【０００９】
レンズ交換式の一眼レフカメラシステムにおいて、上記測光補正値は必須のもであり、カメラの撮影者がどの種類の撮影レンズを使用しても、また実際には撮影者が使用しないレンズをも含めて数十本にもおよぶ交換レンズ測光精度を保証する必要がある。さらにズームレンズに対してはワイド、テレ、その中間の状態をも含めて最適な測光補正値を設定し、カメラに標準状態として記憶しておく必要がある。
【００１０】
理想的には、前記の全ての交換レンズとその状態（ワイド、テレ等）に対して、かつ異なる配光特性を有するピント板各種に対して、さらにはカメラ内部の光学部品の位置ズレ、特性のバラツキ等含めたカメラ一台ごとの個体バラツキに対応するためにも、カメラ一台ごとに最適な測光補正値を各々設定するべきである。
【００１１】
しかしながら現実的には、カメラ発売後に後から発売されたレンズに対する測光補正値をカメラが持つことは基本的に不可能であり、カメラが交換レンズシステムに用意された全レンズのデータを記憶するためのデータ容量も大量に必要とし、さらには一台一台最適な測光補正値を決定する調整を行うことは時間がかかりすぎてこれもまた不可能である。
【００１２】
この問題に対しては、同一機種複数台のカメラの平均的な測光補正値を実験で求め、全てのカメラに書き込み記憶を行うのが現実的な手法となる。
【００１３】
しかしながら上記手法で測光補正値を書き込み記憶されたカメラにはあくまでも平均的な測光補正値が入力されているために、当然ながら個々のカメラで各種レンズ、各種ピント板を装着した際に、その測光精度にバラツキが発生する。
【００１４】
本発明は上述した課題に鑑みてなされたものであり、その目的は、交換レンズ、交換ピント板を含めた電子カメラシステムで発生する個々のカメラの測光精度バラツキを解消し、常に最適な測光精度のもとに適正な露光レベルの撮影画像を画処理することなしに得ることを可能とすることである。
【課題を解決するための手段】
【００１５】
上述した課題を解決し、目的を達成するために、本発明に係わる電子カメラは、被写界の撮影を行なう電子カメラにおいて、被写界の輝度を検出する測光手段と、該測光手段によって検出された被写界の輝度情報に基づいて被写界を撮像し、画像情報を出力する撮像手段と、少なくとも前記電子カメラに装着されたレンズの種類及び状態を検出する検出手段と、前記撮像手段から出力される画像情報に基づいて算出された撮像画像の輝度値と、前記撮像手段から出力される画像の第１の輝度値とに基づいて、前記測光手段から得られる被写界輝度情報を補正するための測光レベル補正値を算出する補正値算出手段と、前記検出手段による検出結果と前記補正値算出手段により算出された測光レベル補正値とを関連付けて記憶する記憶手段と、を具備することを特徴とする。
【００１６】
また、この発明に係わる電子カメラにおいて、前記レンズのピントを検出するための焦点検出板をさらに具備し、前記検出手段は、前記レンズの種類及び状態に加えて、前記焦点検出板の種類を検出することを特徴とする。
【００１７】
また、この発明に係わる電子カメラにおいて、前記電子カメラによる撮影の度に前記補正値算出手段により算出される測光レベル補正値と、過去に前記記憶手段に記憶された測光レベル補正値との比較結果に基づいて、前記記憶手段に記憶された測光レベル補正値を更新する更新手段をさらに具備することを特徴とする。
【００１８】
また、この発明に係わる電子カメラにおいて、前記撮像手段から出力される画像情報に基づいて算出される撮像画像の輝度値は、撮像画面内の所定の領域に重点をおいて算出される輝度値であることを特徴とする。
【００１９】
また、この発明に係わる電子カメラにおいて、前記撮像画面内の所定の領域とは、前記電子カメラのファインダー視野内の複数の焦点検出領域のうちの選択された焦点検出領域に対応した領域であることを特徴とする。
【００２０】
また、この発明に係わる電子カメラにおいて、前記撮像画面内の所定の領域とは、撮像画面内の人物が存在する領域に対応した領域であることを特徴とする。
【００２１】
また、本発明に係わる電子カメラの制御方法は、被写界の撮影を行なう電子カメラの制御方法であって、被写界の輝度を検出する測光工程と、該測光手工程において検出された被写界の輝度情報に基づいて被写界を撮像し、画像情報を出力する撮像工程と、少なくとも前記電子カメラに装着されたレンズの種類及び状態を検出する検出工程と、前記撮像工程において出力される画像情報に基づいて算出された撮像画像の輝度値と、前記撮像工程において出力される画像の第１の輝度値とに基づいて、前記測光工程において得られる被写界輝度情報を補正するための測光レベル補正値を算出する補正値算出工程と、前記検出工程における検出結果と前記補正値算出工程において算出された測光レベル補正値とを関連付けて記憶する記憶工程と、を具備することを特徴とする。
【００２２】
また、この発明に係わる電子カメラの制御方法において、前記電子カメラは、前記レンズのピントを検出するための焦点検出板を備え、前記検出工程では、前記レンズの種類及び状態に加えて、前記焦点検出板の種類を検出することを特徴とする。
【００２３】
また、この発明に係わる電子カメラの制御方法において、前記電子カメラによる撮影の度に前記補正値算出工程において算出される測光レベル補正値と、過去に記憶された測光レベル補正値との比較結果に基づいて、過去に記憶された測光レベル補正値を更新する更新工程をさらに具備することを特徴とする。
【００２４】
また、この発明に係わる電子カメラの制御方法において、前記撮像工程において出力される画像情報に基づいて算出される撮像画像の輝度値は、撮像画面内の所定の領域に重点をおいて算出される輝度値であることを特徴とする。
【００２５】
また、この発明に係わる電子カメラの制御方法において、前記撮像画面内の所定の領域とは、前記電子カメラのファインダー視野内の複数の焦点検出領域のうちの選択された焦点検出領域に対応した領域であることを特徴とする。
【００２６】
また、この発明に係わる電子カメラの制御方法において、前記撮像画面内の所定の領域とは、撮像画面内の人物が存在する領域に対応した領域であることを特徴とする。
【００２７】
また、本発明に係わるプログラムは、上記の電子カメラの制御方法をコンピュータに実行させることを特徴とする。
【００２８】
また、本発明に係わる記憶媒体は、上記のプログラムをコンピュータ読み取り可能に記憶したことを特徴とする。
【発明の効果】
【００２９】
本発明によれば、交換レンズ、交換ピント板を含めた電子カメラシステムで発生する個々のカメラの測光精度バラツキを解消し、常に最適な測光精度のもとに適正な露光レベルの撮影画像を画処理することなしに得ることが可能となる。
【発明を実施するための最良の形態】
【００３０】
以下、本発明の好適な一実施形態について、図１から図７を参照して詳細に説明する。
【００３１】
図１は、本発明の一実施形態に係わる電子カメラの概略構成を示す図である。
【００３２】
図１において、１０１はＣＰＵ（中央演算処理装置）であり、本電子カメラの動作はこのＣＰＵ１０１により制御される。
【００３３】
１０５は撮影レンズであり、撮影被写界光を撮像素子であるＣＣＤ１０６上に結像させる。また撮影レンズ１０５を通って来た撮影被写界光は、その一部が半透過主ミラー１２６、全反射サブミラー１２２によって、１２３、１２４、１１９からなる公知の位相差方式焦点検出ユニットに導かれ、撮影レンズ１０５で結像された被写界光のピントがＣＣＤ１０６の受光面に対してどの方向に、どれ位ずれているか、いわゆるデフォーカス量として検出することができる。ここで１２３はフィールドレンズ、１２４は２次結像レンズ、１１９は焦点検出用のＣＣＤラインセンサである。上記算出されたデフォーカス量に対して、撮影レンズ本体のレンズ駆動敏感度（レンズ固有の制御の細かさ）を考慮し、ＣＰＵ１０１は撮影レンズ駆動制御部１２５に撮影レンズを駆動させるための駆動量パルスを送り、撮影レンズ駆動制御部１２５は送られてきたパルスに応じてパルスモータを駆動させ、撮影レンズ１０５を合焦位置に駆動させることで自動焦点調節を行う。
【００３４】
１２８は撮影レンズ１０５のＣＣＤ１０６の結像面と等価の結像面に置かれた焦点検出板（以降ピント板と称す）であり、被写界像は前記半透過ミラー１２６で反射され、ピント板１２８に１次結像する。撮影者はこの被写界像をペンタプリズム１２７、接眼レンズ１２１を通じて見ることができる、いわゆるＴＴＬ方式の光学ファインダ構成となっている。なお、ピント板１２８としては、そのマット部の拡散性が異なる複数種類のタイプのピント板が用意されており、カメラに装着されているピント板のタイプを、ピント板検出部１３１にて検出可能としている。
【００３５】
また１３０はシリコンフォトダイオードからなる測光センサであり、測光レンズ１２９によってピント板１２８に結像した被写界像を測光センサ１３０のチップ上に２次結像させることで被写界の輝度分布を検出している。
【００３６】
図３は、測光センサ１３０と焦点検出用ＣＣＤ１１９の検出範囲を、カメラで実際に撮影が行われる撮影画面領域（有効画素範囲）に見かけ上合成して表現したものである。図３からわかるとおり、測光センサ１３０は、Ｓ０からＳ１４までの１５個の測光領域に分割されており、各々の領域に対応した被写界輝度の検出を可能としている。一方焦点検出用ＣＣＤ１１９はファインダ画面の１１９ａ、１１９ｂ、１１９ｃの３つの領域の焦点検出が可能なように配置がなされており、焦点検出領域１１９ａ、１１９ｂ、１１９ｃは各々測光領域Ｓ０、Ｓ１、Ｓ２の中央になるように配置されている。
【００３７】
ここで図１に戻って、撮影者がレリーズボタン（不図示）を押すと、主ミラー１２６は撮影レンズ１０５の光路外に退避する。一方、撮影レンズ１０５によって集光された被写界光はフォーカルプレーンシャッタ１３３にてその光量制御がなされ、ＣＣＤ１０６によって被写界像として光電変換処理表示された後、撮影済み画像として後述のデータ格納手段によって記録メディアに記録されるとともに、表示部１１３に表示がなされる。ここで１１３はＴＦＴカラー液晶からなる外部表示部である。
【００３８】
図２は、本実施形態の電子カメラの電気的回路構成を示すブロック図である。
【００３９】
図２において、１０１は前述のＣＰＵ（中央演算処理装置）であり、その内部には不揮発性メモリであるＥＥＰＲＯＭ１０１ａが配置されている。またＣＰＵ１０１には、制御プログラムを記憶しているＲＯＭ（リードオンリーメモリ）１０２、ＲＡＭ（ランダムアクセスメモリ）１０３、データ格納手段１０４、画像処理部１０８、ＬＣＤ制御部１１１、レリーズＳＷ１１４、電源を供給するためのＤＣ／ＤＣコンバータ１１７がそれぞれ接続され、画像処理部１０８にはＣＣＤ制御部１０７、さらにＣＣＤ１０６が接続されている。ＣＣＤ１０６は有効画素数として約５００万画素（２５６０×１９２０）を有している。
【００４０】
そして、ＬＣＤ制御部１１１には表示駆動部１１２、さらに表示部１１３が接続されており、表示部１１３はＣＣＤ１０６で撮像された画像を縦横各々１／４に間引き処理された６４０×４８０の画像を表示することのできる約３０万画素構成のＴＦＴカラー液晶である。また、ＤＣ／ＤＣコンバータ１１７には電池１１６から電源が供給されている。
【００４１】
ＣＰＵ１０１はＲＯＭ１０２内の制御プログラムに基づいて各種制御を行う。これらの制御の中には、画像処理部１０８から出力された撮影画像信号を読み込み、ＲＡＭ１０３へＤＭＡ転送を行う処理、同様にＲＡＭ１０３よりＬＣＤ制御部１１１へデータをＤＭＡ転送する処理、また、画像データをＪＰＥＧ圧縮しファイル形式でデータ格納手段１０４へ格納する処理を行う。
【００４２】
さらにＣＰＵ１０１は、ＣＣＤ１０６、ＣＣＤ制御部１０７、画像処理部１０８、ＬＣＤ制御部１１１などに対してデータ取り込み画素数やデジタル画像処理の変更指示を行う。
【００４３】
１１９は前述の焦点検出用の一対のラインＣＣＤセンサであり、焦点検出制御部１２０はこれらラインセンサ１１９から得た電圧をＡ／Ｄ変換し、ＣＰＵ１０１に送る。またＣＰＵ１０１の指示のもとに、焦点検出制御部１２０はラインセンサ１１９の蓄積時間とＡＧＣ（オートゲインコントロール）の制御も行う。
【００４４】
また、レリーズＳＷ１１４の操作に伴う撮影動作の指示、さらに、各素子への電源の供給をコントロールするための制御信号をＤＣ／ＤＣコンバータ１１７に対して出力する処理等も、ＣＰＵ１０１の制御の基に行われている。
【００４５】
ＲＡＭ１０３は画像展開エリア１０３ａ、ワークエリア１０３ｂ、ＶＲＡＭ１０３ｃ、一時退避エリア１０３ｄを備えている。画像展開エリア１０３ａは、画像処理部１０８より送られてきた撮影画像（ＹＵＶデジタル信号）やデータ格納手段１０４から読み出されたＪＰＥＧ圧縮画像データを一時的に格納するためのテンポラリバッファとして、また、画像圧縮処理、解凍処理のための画像専用ワークエリアとして使用される。
【００４６】
ワークエリア１０３ｂは各種プログラムのためのワークエリアである。ＶＲＡＭ１０３ｃは表示部１１３へ表示する表示データを格納するＶＲＡＭとして使用される。また、一時退避エリア１０３ｄは各種データを一時退避させるためのエリアである。
【００４７】
データ格納手段１０４は、ＣＰＵ１０１によりＪＰＥＧ圧縮された撮影画像データ、あるいはアプリケーションより参照される各種付属データ等をファイル形式で格納しておくためのフラッシュメモリである。
【００４８】
撮影レンズ１０５は被写界像を光学的にＣＣＤ１０６へ投影するために複数枚のレンズで構成されており、ＣＣＤ（光電変換素子）１０６はレンズ群１０５によって投影された画像をアナログ電気信号に変換するための素子である。
【００４９】
このＣＣＤ１０６は、ＣＰＵ１０１よりの解像度変換指示に従って、水平方向および垂直方向の間引き画素データの出力が可能である。ＣＣＤ制御部１０７は、ＣＣＤ１０６に転送クロック信号やシャッター信号を供給するためのタイミングジェネレータ、ＣＣＤ出力信号のノイズ除去、ゲイン処理を行うための回路、さらに、アナログ信号を１０ビットデジタル信号に変換するためのＡ／Ｄ変換回路、また同様に、ＣＰＵ１０１よりの解像度変換指示に従って、画素間引き処理を行うための回路等を含んでいる。
【００５０】
また、画像処理部１０８は、ＣＣＤ制御部１０７より出力された１０ビットデジタル信号をガンマ変換、色空間変換、また、ホワイトバランス、ＡＥ、フラッシュ補正等の画像処理を行い、ＹＵＶ（４：２：２）フォーマットの８ビットデジタル信号出力を行うものである。これら、レンズ群１０５、ＣＣＤ１０６、ＣＣＤ制御部１０７、画像処理部１０８から撮像手段が構成されている。
【００５１】
ＬＣＤ制御部１１１は、画像処理部１０８から転送されたＹＵＶデジタル画像データ、あるいはデータ格納手段１０４のなかの画像ファイルに対してＪＰＥＧの解凍を行ったＹＵＶデジタル画像データを受け取り、ＲＧＢデジタル信号へ変換したあと表示駆動部１１２へ出力する処理を行う。表示駆動部１１２は表示部１１３を駆動するための制御を行う。これらＬＣＤコントロール部１１１、表示駆動部１１２、表示部１１３から表示手段が構成されている。
【００５２】
レリーズＳＷ１１４は、撮影動作の開始を指示するためのシャッタースイッチである。このレリーズＳＷ１１４は不図示のレリーズボタンの押下圧によって２段階のスイッチポジションを有しており、１段目のポジション（ＳＷ１ＯＮ）の検出で、ホワイトバランス、測光等のカメラ設定のロック動作が行われ、２段目のポジション（ＳＷ２ＯＮ）の検出で、被写界画像信号の取り込み動作が行われる。
【００５３】
測光制御部１３２は、ＣＰＵ１０１の指示に従って、測光センサ１３０を駆動制御し、被写界輝度情報を取り込み、ＣＰＵ１０１にデータを送る。
【００５４】
また、ピント板１２８はその外形部における突起の有無で、ピント板のマット部が拡散性の強いタイプのものか、弱いタイプのものかの区別がされており、ピント板１２８がカメラに装着されると、ピント板検出部１３１は、ピント板１２８の突起の有無を検出してピント板１２８の種類を検出する。
【００５５】
電池１１６はリチャーチャブルの２次電池あるいは乾電池である。また、ＤＣ／ＤＣコンバータ１１７は、電池１１６からの電源供給を受け、昇圧、レギュレーションを行うことにより複数の電源を作り出し、ＣＰＵ１０１を初めとする各素子に必要な電圧の電源を供給している。このＤＣ／ＤＣコンバータ１１７はＣＰＵ１０１からの制御信号により、各々の電圧供給の開始、停止を制御できるようになっている。
【００５６】
次に本実施形態のカメラの測光装置を適用した電子カメラの撮影動作について、図４と図５のフローチャート、および図６、図７の表を用いて説明を行う。
【００５７】
まず最初に図４のフローチャートに示した電子カメラの撮影動作を説明する。
【００５８】
図４のフローチャートは、測光レベル補正値を算出するプロセスをカメラ動作の中で説明したものである。
【００５９】
まず最初に、カメラを不作動状態から電源スイッチ（不図示）をＯＮにすると、カメラの電源がＯＮされ（ステップＳ２００）、カメラはレリーズボタンが押し込まれてスイッチＳＷ１がＯＮされるまで待機する（ステップＳ２０１）。
【００６０】
レリーズボタン（不図示）が押し込まれ、スイッチＳＷ１がＯＮされたことをＣＰＵ１０１が検出すると、カメラのＣＰＵ１０１はカメラに装着されたレンズとの間で通信を行い、そのレンズのＩＤナンバ、実効Ｆｎｏ．といったレンズ情報をカメラに取り込む（ステップＳ２０２）。
【００６１】
またピント板検出部１３１にて、カメラに装着されているピント板１２８の種類が判別される（ステップＳ２０３）。
【００６２】
次に、ステップＳ２０２とステップＳ２０３で得られた撮影レンズ情報とピント板情報に基づいて、現在のカメラの状態に適合した測光レベル補正値がカメラに記憶されているか否かの判定が行われ（ステップＳ２０４）、測光レベル補正値が存在すればその値を呼び出して後述の測光演算に用いる（ステップＳ２０５）。またステップＳ２０４にて測光レベル補正値が存在しないときには、ステップＳ２０６に進む。なお撮影レンズ情報とピント板情報と測光レベル補正値の関係は後述する。
【００６３】
次にＣＰＵ１０１は、カメラの焦点検出領域の選択が手動選択モードか自動選択モードのいづれに設定されているかを判別し（ステップＳ２０６）、自動選択モードに設定されていると判断されると、公知の焦点検出領域自動選択アルゴリズムが実行される。自動選択アルゴリズムは一般的には近点優先の選択方式であり、ここでは３つの焦点検出領域１１９ａ、１１９ｂ、１１９ｃのデフォーカス量から最も撮影者に近い距離にあると判断された焦点検出領域を選択する（ステップＳ２０７）。
【００６４】
また、カメラの焦点検出領域の選択モードが手動選択モードに設定されていると、撮影者がカメラの操作部材（不図示）により任意に設定した焦点検出領域がそのまま決定されるので、ステップＳ２０７の自動選択モードの場合と合わせて１１９ａ、１１９ｂ、１１９ｃのいづれか一つが焦点検出領域として決定される（ステップＳ２０８）。
【００６５】
つづいて焦点検出用ＣＣＤ１１９、および焦点検出制御部１２０は焦点検出領域での焦点検出動作を実行する（ステップＳ２０９）。
【００６６】
焦点検出がなされると周知のごとく、その出力として、デフォーカス量とその方向が得られ、撮影レンズのレンズ繰り出し量が決定される。次に、レンズ駆動を行う前の状態で焦点検出ＣＣＤ１１９の信号に従ってＣＰＵ１０１は撮影レンズ駆動制御部１２５に信号を送って所定量撮影レンズを駆動させる。
【００６７】
ステップＳ２０８にて焦点検出領域が決定すると、それに対応した測光領域が決定される（ステップＳ２１０）。つまり、前記図３にて説明したように焦点検出領域１１９ａ、１１９ｂ、１１９ｃに対しては各々測光領域Ｓ０、Ｓ１、Ｓ２が対応して決定される。
【００６８】
次にＣＰＵ１０１は測光センサ１３０、および測光制御部１３２に信号を送り、被写界の輝度を検出し（ステップＳ２１１）、得られた被写界輝度値に対して、ピント板のタイプに応じた測光補正値、さらにはステップＳ２０４、ステップＳ２０５で既に適合する測光レベル補正値が存在する場合にはその値を加味し、さらにはステップＳ２０８で決定された測光領域に対し最大の重み付けをした露出決定のための演算を行う（ステップＳ２１２）。この露出値決定のための演算についての詳細説明は後述する。
【００６９】
ここで合焦した状態のファインダ被写界の状態を撮影者が見て、焦点検出状態が正しくない、あるいは撮影を中止すると判断してレリーズボタンから手を離し、スイッチＳＷ１がＯＦＦされるとステップＳ２０１に戻りＳＷ１のＯＮ待ちとなる。一方、撮影者が引き続きスイッチＳＷ１をＯＮし続け（ステップＳ２１３）、さらにレリーズボタンを押し込んでスイッチＳＷ２がＯＮされたならば（ステップＳ２１４）、カメラは撮影動作を開始し、主ミラー１２６は撮影レンズ１０５の光路外に退避し、撮影レンズ１０５によって集光された被写界光はフォーカルプレーンシャッタ１３３で光量制御がなされ、ＣＣＤ１０６に対し露光がなされる（ステップＳ２１５）。
【００７０】
つづいて、被写界像はＣＣＤ１０６によって光電変換がなされ、一連の画像処理を経て撮影済み画像としてデータ格納手段によって記録メディアに記録される。また画像処理部１０８にてＹＵＶ（４：２：２）フォーマットの８ビットデジタル信号として出力されたＣＣＤ１０６の有効画素数２５６０×１９２０の画像信号は、ＴＦＴ表示部１１３に表示するためにＣＣＤ１０６の有効画素数２５６０×１９２０を１／４に間引き処理した６４０×４８０画素の８ビットデジタルＲＧＢ画像信号へとＶＲＡＭ１０３ｃ上で変換された後、ＴＦＴ表示部１１３にて撮影画像として表示がなされる（ステップＳ２１６）。
【００７１】
ここでステップＳ２１６にて得られた６４０×４８０画素の８ビットデジタルＲＧＢ画像信号は、Ｒ，Ｇ，Ｂ各々に対して全画素の信号値の平均化が行われ、得られたＲ，Ｇ，Ｂの平均値はさらに加算、平均化される。これによって画像信号全体の平均輝度が、完全ダークレベルの０カウントから完全飽和レベルの２５５カウントまでの間で数値化できるようになるため、撮影された画像の露出レベルの評価が可能となる。
【００７２】
しかしながら、撮影画像全体の平均輝度をもって露出レベルの適正を評価するのは撮影主要被写体を全く無視することになるので、本実施形態では焦点検出を行った近傍の領域に主要被写体が存在すると考えて該領域を重視して露出レベルの評価を行うこととする。
【００７３】
ここで再び図３の撮影画面領域において、焦点検出領域１１９ａ、１１９ｂ、１１９ｃに対して、各焦点検出領域を中心とした各々エリア０、エリア１、エリア２が設定されており、ステップＳ２１６で得られた撮影画面全体の評価すべき６４０×４８０画素に対してエリア０、エリア１、エリア２は各々２５６×１９２画素の大きさの領域に設定されている。仮に焦点検出が焦点検出領域１１９ｂで行われたとすると、撮影画面領域６４０×４８０画素の平均輝度出力をＨｓ、焦点検出領域１１９ｂに対応したエリア１の２５６×１９２画素の平均輝度出力をＨ１、撮影された画像の評価すべき輝度出力（画像信号レベル）をＨｅとすると、Ｈｅは以下の式で算出される。
【００７４】
Ｈｅ＝（Ｈ１＋Ｈｓ）／２
つまり、撮影画像全体の領域の平均輝度出力と、撮影主要被写体が存在すると考えられる領域の平均輝度出力の平均値をもって撮影画像の露出レベル、つまり画像信号レベルとして算出がなされる（ステップＳ２１７）。
【００７５】
次に、算出された画像輝度出力値：Ｈｅは、画像の露光最適輝度出力をＨｏ、露光最適値近傍の１段あたりの輝度出力変化量をＤ、最適な露光に対して撮影された画像の露出差段数、つまり測光レベル補正値をＶｃとすると、Ｖｃは以下の式にて求められる。
【００７６】
Ｖｃ＝（Ｈｏ−Ｈｅ）／Ｄ
例えば、撮影された画像の輝度出力値：Ｈｅ＝１４０カウントが上記演算により算出され、露光最適輝度出力：Ｈｏ＝１２０カウント、および露光最適値近傍の１段あたりの輝度出力変化量を４０カウントとすると、求める測光レベル補正値：Ｖｃ＝−０．５（段）が算出される（ステップＳ２１８）。
【００７７】
図７は、上記算出された測光レベル補正値とそれに対応づけてＥＥＰＲＯＭ１０１ａに記憶される内容を表にしたものである。テーブルＮｏ．は記憶される測光レベル補正値のセットの数であり、本実施形態では２０個まで記憶されるが、その数を超えると、測光レベル補正値の更新された回数の少ないものから順に新しいセットに置き換えられていくようになっている。
【００７８】
レンズＩＤは、カメラに装着可能な交換レンズの種類、例えば２８ｍｍ／Ｆ２．８のようなレンズに対して、レンズ自身に記憶されている識別番号で、８ビット、１バイトで表現され、カメラにレンズを装着するとレンズからカメラにレンズＩＤが送信され、どんなレンズが装着されているのかをカメラは認識可能となる。
【００７９】
実効Ｆｎｏ．（Ｆ値）は、レンズの状態つまりズーム位置（レンズの焦点距離位置）、かつ距離環位置（レンズの焦点調節位置）に応じて変化するレンズのＦｎｏ．を意味し、レンズからカメラに送信されるものである。
【００８０】
ピント板ＩＤは、ピント板の種類に応じてつけられている固有の識別番号であり、データと対応付けて記憶される。ピント板１２８は前述したようにそのマット部の拡散性の違いに応じて複数種類のタイプのピント板が用意されており、本実施形態ではマット部の拡散性が強く、撮影レンズのピント状態確認が容易となるタイプのピント板のＩＤを００とし、逆にマット部の拡散性が弱く、ファインダの明るさが明るいタイプのピント板のＩＤを０１としている。カメラに装着されたピント板のタイプは、前述したようにピント板検出部１３１にてピント板の形状（例えば突起の有無）を検出して判別を行っている。上記演算にて算出された測光レベル補正値は（１／８）Ｆ（段）単位の１０進数で表記してある。更新回数は測光補正値が何回更新されたかを記憶するカウンタ値となっている。
【００８１】
なお図７の表において、レンズＩＤ、実効Ｆｎｏ．ピント板ＩＤは８ビット、１バイトで表記されており、更新回数は８ビット、２バイトが割り当てられていて、６５０２５回まで記憶可能である。これらは１６進数で表記してある。また、テーブルＮｏ．７までのセットしか値が入っていないのは、７つの条件下でしか測光レベル補正値が決まっていないためであり、他の条件下で撮影を行うとＮｏ．８から順に値が埋まることになる。
【００８２】
ここで再び図４に戻って、現在の撮影レンズ、およびカメラの状態に適合した測光レベル補正値がこれまでにカメラに記憶されているか否かの判定が行わる（ステップＳ２１９）。つまり、上記図７のテーブルを検索して該当するレンズＩＤ、実効Ｆｎｏ．、ピント板ＩＤ、測光レベル補正値のセットの存在を確認する。
【００８３】
ここで、既に既知のセットが存在しているのならば、今回の撮影で新規に算出された測光レベル補正値が既知の値に対して大きくかけはなれていないかどうか、つまり新値を採用するか否かの判定にかけることで特殊な撮影等の突発的な値を採用することを防止している（ステップＳ２２０）。ここで存在するセットの中の測光レベル補正値の値をＶｏ、今回の撮影で新規に算出された測光レベル補正値の値をＶｃとすると、ＶｃとＶｏとの差が１Ｆ（段）以下であることが採用の条件である。
【００８４】
ＡＢＳ（Ｖｃ−Ｖｏ）≦１  Ｆ（段）
ここでステップＳ２１８にて新規に算出された測光レベル補正値の値がステップＳ２２０にて採用と判定されると、新規補正値はカメラに記憶されていた既知の補正値との間で重み付け演算がなされて、最終的に更新されるべき補正値が算出される。最終的に求める測光レベル補正値をＶｄとすると、Ｖｄは以下の式で算出される。
【００８５】
Ｖｄ＝（Ｖｃ＋２Ｖｏ）／３
次に算出された測光レベル補正値は、ステップＳ２０２、ステップＳ２０３で得られた撮影レンズ情報、およびピント板情報に対応付けてＥＥＰＲＯＭ１０１ａに記憶がなされる（ステップＳ２２１）。
【００８６】
一方、ステップＳ２１９にて、現在の撮影レンズ、およびカメラの状態に適合した測光レベル補正値がこれまでにカメラに記憶されていないと判定された場合は、ステップＳ２１８で算出された測光レベル補正値：Ｖｃがそのまま記憶されるべき値：ＶｄとしてステップＳ２２１にて記憶される。
【００８７】
また、ステップＳ２２０にて、ＶｃとＶｏとの差が１Ｆ（段）を超えている場合は、ステップＳ２１８で算出されたＶｃは不採用となる。
【００８８】
以上説明してきたステップＳ２１６からステップＳ２２１までが測光補正算出手段である。
【００８９】
また、上記実施形態では、焦点検出領域の選択をカメラまかせの自動選択で行った場合に撮影された画像の輝度出力の算出について説明してきたが、撮影者が手動で操作部材を操作し、焦点検出領域を選択した場合にも適用されることは言うまでもない。
【００９０】
ここで図４のフローチャート中のステップＳ２１２の測光値、および露出値の算出方法について図５および図３を用いて説明する。
【００９１】
図５のフローチャートにおいて、前述した図３の撮影画面領域の測光センサ１３０の分割領域Ｓ０からＳ１４は、被写界の輝度に応じて出力を発生する（ステップＳ４００）。ここで出力された信号はＣＰＵ１０１にてＡＤ変換がなされ、各々８ビット、１バイトの信号として扱えるようになる（ステップＳ４０１）。さらにＳ０からＳ１４までの各信号は、カメラの調整段階でＥＥＰＲＯＭ１０１ａに記憶されたレベル補正値（センサ輝度バラツキ補正値）とゲイン補正値（輝度に対するリニアリティ補正値）で補正処理される（ステップＳ４０２）。
【００９２】
これにより撮影画面の輝度が正確に検出可能となる。ここで説明したステップＳ４０１とステップＳ４０２は図４のステップＳ２１１に相当する。ただし、上記レベル補正値はあくまでもカメラの調整時に用いた基準レンズ（例えば、５０ｍｍ、Ｆ１．４レンズ）での補正値であり、他の種類のレンズ（例えば、２００ｍｍ、Ｆ２．８レンズ）をカメラに装着した場合は、更なる補正が必要となる。それは、図１の測光センサ１３０が撮影レンズ光軸（この場合ファインダ光軸）に対してヤブにらみの配置となっているために、撮影レンズ各々の射出瞳の位置の違い等から、撮影レンズの開放Ｆｎｏ．に対して比例した光量が測光センサに到達しないことによる。そのために図６の表に示すように、カメラに取り付けられた撮影レンズの開放Ｆｎｏ．（実効Ｆｎｏ．でも可）に対する補正値を上記レベル、ゲイン補正後の値にヤブにらみ補正として加味している（ステップＳ４０３）。これを測光補正値と称している。
【００９３】
図６において、横項目のＳ0はセンサＳ０、ＳａはセンサＳ１，Ｓ２，Ｓ５，Ｓ１０を、ＳｂはセンサＳ６，Ｓ７，Ｓ１１，Ｓ１２を，ＳｃはセンサＳ３，Ｓ４，Ｓ８，Ｓ９，Ｓ１３，Ｓ１４の出力に適応することを意味し、縦項目のＦｎｏ．は、撮影レンズの開放Ｆｎｏ．であり、使用レンズの開放Ｆｎｏ．がＦ１．４よりも明るければ、Ｆ１．４の値を使用し、Ｆ５．６よりも暗いレンズであれば、Ｆ５．６の値を使用する。
【００９４】
ここでは、図６の測光補正値の表は１種類しか示していないが、実際には、ピント板の種類に応じて複数の表が用意されており、ピント板の拡散特性に応じた表の測光補正値が選択使用される。
【００９５】
次に、ステップＳ４０３で得られた各センサの値に、上記説明した図７の測光レベル補正値が加算されることで正確な被写界輝度値となる（ステップＳ４０４）。
【００９６】
ステップＳ４０４で各センサの被写界輝度値が求まると、上記図４のフローチャートで説明したようにステップＳ２０８にて焦点検出領域が決定し、それに対応した測光領域が決定され、該測光領域に最大の重み付けをした露出決定のための演算が行われる（ステップＳ４０５）。
【００９７】
一例をあげると、測光センサ１３０の１５個の各センサ出力（図５のステップＳ４０４での補正後）を各測光領域Ｓ０からＳ１４に対応させてｓ０からｓ１４とし、焦点検出領域１１９ｂが選択されたとすると、測光領域Ｓ１に最大の重み付けをした以下の演算式にて露出値：Ｅの演算を行うものである。
【００９８】
Ｅ＝（２×ｓ１＋（ｓ０＋ｓ３＋ｓ６＋ｓ１１）／４＋（ｓ３＋ｓ４＋ｓ８＋ｓ５＋ｓ７＋ｓ９＋ｓ１３＋ｓ１０＋
ｓ１２＋ｓ１４）／１０）／４
さらに、上記露出値：Ｅからアペックス計算によってカメラのシャッタ秒時（ＴＶ）、撮影レンズの絞り値（ＡＶ）が決定され、撮影が行われる。
【００９９】
これまで説明してきた実施形態では、焦点検出動作によって合焦に至った焦点検出領域近傍の領域（エリア）に主要被写体が存在すると考え、該領域を重視して撮影された画像の輝度出力の算出を行ってきた（つまり焦点検出手段の出力に基づいていた）。
【０１００】
また別の手法として、カメラで撮影された画像の画像情報から主要被写体が人物であるか否か、さらには撮影画像のどの位置に人物が存在するかを検出する人物判定手段を設けることによって撮影画像の領域を特定し、該領域に重み付けを行って撮影された画像の輝度出力の算出を行うことも可能である。
【０１０１】
その一例をここに示すと、まず撮影画像信号中の肌色を示す色度情報と該色度情報が撮影画面上に占める形状、および面積の情報と、カメラの撮影系の撮影倍率の情報とから、撮影された画像の中に人物が存在するか否かを判定する（詳細な実現手段は特開平０５−０４１８３０公報に開示されているのでここでは省略する）。
【０１０２】
ここで撮影された画像の中に人物が存在しないと判定された場合には、図３のエリア０、エリア１、エリア２の平均輝度出力をそれぞれＨ０、Ｈ１、Ｈ２、撮影された画像の評価すべき輝度出力（画像信号レベル）をＨｅとすると、Ｈｅは以下の式で算出される。
【０１０３】
Ｈｅ＝（Ｈ０＋Ｈ１＋Ｈ２＋Ｈｓ）／４
つまり、３つの焦点検出領域近傍を重視した中央重点平均出力をもって輝度出力の算出を行うものである。
【０１０４】
一方、上記撮影された画像の中に人物が存在すると判定された場合には、撮影画像中に人物が存在する位置に最も近いエリア、つまりエリア０、エリア１、エリア２のうちの一つが選択され（エリアのちょうど中間の場合は両方のエリア）、そのエリアに最大の重み付けを行って、撮影された画像の評価すべき輝度出力（画像信号レベル）：Ｈｅを算出する。
【０１０５】
Ｈｅを求める計算は焦点検出位置を用いた領域（エリア）選択の場合と同じで説明済みである。
【０１０６】
以上説明したように、上記の実施形態によれば、被写界を撮像して画像情報に変換する撮像手段と、被写界輝度を検出する測光手段を有し、該測光手段によって得られた被写界輝度情報に基づき撮像を行い、得られた該画像領域内の少なくとも特定の画像領域を設定し、該特定の画像領域に基づいて算出された輝度出力値と所定の値とを比較することによって前記測光手段から得られる被写界輝度情報を補正する測光レベル補正値を算出する測光レベル補正値算出手段を有し、該測光レベル補正値は、カメラに装着されたレンズの種類、状態ないしは焦点検出板の種類に対応して記憶、読出しが行われることを特徴とする電子カメラの測光装置を提供することによって、交換レンズ、交換ピント板を含めた電子カメラシステムで発生する個々のカメラの測光精度バラツキを解消し、常に最適な露出制御が可能となる。
【０１０７】
また、被写界を撮像して画像情報に変換する撮像手段と、被写界輝度を検出する測光手段を有し、該測光手段によって得られた被写界輝度情報に基づき撮像を行い、得られた該画像領域内の少なくとも特定の画像領域を設定し、該特定の画像領域に基づいて算出された輝度出力値と所定の値とを比較することによって前記測光手段から得られる被写界輝度情報を補正する測光レベル補正値を算出する測光レベル補正値算出手段を有し、撮影の度に得られる最新の測光レベル補正の値に対し、過去に記憶された測光レベル補正値との比較、採否が判定され、採用と判定された場合には、前記過去に記憶された測光レベル補正値を加味して新しい測光レベル補正情報の値として記憶更新されることを特徴とする電子カメラの測光装置を提供することによって、上記測光レベル補正情報の精度を高めることができ、常に最適な露出制御を行うことが可能となる。
【０１０８】
また、上記のように最適な測光精度のもとに適正露出レベルの画像を得ることができるため、撮影時の画処理にかかる時間、またもとの撮影画像を処理することに伴う画質の劣化等の問題も発生しない。
【０１０９】
（他の実施形態）
また、各実施形態の目的は、前述した実施形態の機能を実現するソフトウェアのプログラムコードを記録した記憶媒体（または記録媒体）を、システムあるいは装置に供給し、そのシステムあるいは装置のコンピュータ（またはＣＰＵやＭＰＵ）が記憶媒体に格納されたプログラムコードを読み出し実行することによっても、達成されることは言うまでもない。この場合、記憶媒体から読み出されたプログラムコード自体が前述した実施形態の機能を実現することになり、そのプログラムコードを記憶した記憶媒体は本発明を構成することになる。また、コンピュータが読み出したプログラムコードを実行することにより、前述した実施形態の機能が実現されるだけでなく、そのプログラムコードの指示に基づき、コンピュータ上で稼働しているオペレーティングシステム（ＯＳ）などが実際の処理の一部または全部を行い、その処理によって前述した実施形態の機能が実現される場合も含まれることは言うまでもない。
【０１１０】
さらに、記憶媒体から読み出されたプログラムコードが、コンピュータに挿入された機能拡張カードやコンピュータに接続された機能拡張ユニットに備わるメモリに書込まれた後、そのプログラムコードの指示に基づき、その機能拡張カードや機能拡張ユニットに備わるＣＰＵなどが実際の処理の一部または全部を行い、その処理によって前述した実施形態の機能が実現される場合も含まれることは言うまでもない。
【０１１１】
本発明を上記記憶媒体に適用する場合、その記憶媒体には、先に説明したフローチャートに対応するプログラムコードが格納されることになる。
【図面の簡単な説明】
【０１１２】
【図１】本発明の一実施形態に係わる電子カメラの概略構成を示す図である。
【図２】一実施形態の電子カメラの電気的回路構成を示すブロック図である。
【図３】一実施形態の電子カメラの測光領域、焦点検出領域を示す図である。
【図４】一実施形態の電子カメラの撮影動作を示すフローチャートである。
【図５】一実施形態の電子カメラの測光動作を示すフローチャートである。
【図６】測光補正情報の内容を示す図である。
【図７】測光レベル補正情報の内容を示す図である。
【符号の説明】
【０１１３】
１０１  ＣＰＵ
１０５  撮影レンズ
１０６  撮像用ＣＣＤ
１１３  外部表示部
１１９  焦点検出用ＣＣＤ
１２６  主ミラー
１２８  ピント板
１３０  測光センサ
１３１  ピント板検出部
【図１】
2005148639.tif 000003
【図２】
2005148639.tif 000004
【図３】
2005148639.tif 000005
【図４】
2005148639.tif 000006
【図５】
2005148639.tif 000007
【図６】
2005148639.tif 000008
【図７】
2005148639.tif 000009